【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】映像表示装置
【手続補正２】
【補正対象書類名】明細書
【補正対象項目名】特許請求の範囲
【補正方法】変更
【補正の内容】
【特許請求の範囲】
【請求項１】
光源ユニットの出射光から映像信号に応じた光学像を形成する複数個の反射型液晶表示素子と、前記複数個の反射型液晶表示素子に光を照射し、前記反射型液晶表示素子で反射した光を合成して出射する照明光学系とを有する映像表示装置であって、
前記光源ユニットからの光を第１及び第２の光に分離する色分離部と、
前記第１の光を反射する第１の反射部と、
前記第１の光の光路上に配置され、且つ前記第１の反射部で反射された前記第１の光の色分離合成を行う色分離合成部と、
前記複数個の反射型液晶表示素子からの光を色合成する色合成部と、
前記第２の光を反射する第２の反射部とを有し、
前記第２の光は、前記色合成部を透過して、前記第２の反射部で反射されて前記複数個の反射型液晶表示素子の１個に入射することを特徴とする映像表示装置。
【請求項２】
照明光を第１及び第２の光と、第３の光とに色分離する色分離部と、
前記第１の光と前記第２の光の色分離合成を行う色分離合成部と、
前記色分離合成部の近傍に略直角に配置され、且つ前記色分離部で分離された第１及び第２の光の各々が入射する前記第１及び第２の反射型液晶表示素子と、
前記第３の光が入射する第３の反射型液晶表示素子と、
前記第１、第２及び第３の反射型液晶表示素子から出射された前記第１、前記第２及び前記第３の光を合成する色合成部とを有し、
前記第３の光は、前記色合成部を透過して、前記第３の反射型液晶表示素子に入射することを特徴とする映像表示装置。
【請求項３】
請求項２記載の映像表示装置であって、
前記第１及び前記第２の光の光路上、且つ前記色分離部と前記色分離合成部との間に第１の反射部を配置することを特徴とする映像表示装置。
【請求項４】
請求項３記載の映像表示装置であって、
前記第３の光の光路上、且つ前記色分離部と前記第３の反射型液晶表示素子との間に前記第２の反射部を配置することを特徴とする映像表示装置。
【請求項５】
請求項２から４記載の映像表示装置であって、
前記色分離合成部の入射側に配置され、且つ前記第１の光の偏光方向を変換する第１の特定波長域偏光変換素子と、
前記色分離合成部の出射側に配置され、且つ前記第１の光の偏光方向を変換する第２の特定波長域偏光変換素子とを有することを特徴とする映像表示装置。
【請求項６】
請求項５記載の映像表示装置であって、
前記第３の光の光路上、且つ色分離部と前記第３の反射型液晶表示素子との間に、前記第３の光の偏光方向を統一する偏光変換素子を配置することを特徴とする映像表示装置。
【請求項７】
請求項３又は４記載の映像表示装置であって、
前記第１及び前記第２の反射部は、アルミ、銀蒸着ミラー、全反射プリズム、ミラー蒸着プリズム、ダイクロイックミラー及びダイクロイックプリズムの何れかであることを特徴とする映像表示装置。
【請求項８】
請求項２から７記載の映像表示装置であって、
前記色分離合成部は、偏光ビームスプリッタであることを特徴とする映像表示装置。
【請求項９】
請求項２から８記載の映像表示装置であって、
前記色合成部は、偏光ビームスプリッタであることを特徴とする映像表示装置。
【請求項１０】
請求項８又は９記載の映像表示装置であって、
前記第１及び前記第２の光の何れか一方はＧ光であって、
前記第１又は第２の反射型液晶表示素子で反射したＧ光は、前記色分離合成部と前記色合成部とを透過することを特徴とする映像表示装置。
【請求項１１】
偏光方向が略同一方向の照明光を第１及び第２の光と、第３の光とに分離する色分離部と、
略直角となるように配置された第１及び第２の反射型液晶表示素子と、
前記第３の光が入射する第３の反射型液晶表示素子と、
前記第１及び第２の光を反射する第１の反射部と、
前記第１の反射部で反射された前記第１の光の偏光方向を変換する第１の特定波長域偏光変換素子と、
前記第１の特定波長域偏光変換素子を透過した前記第１及び前記第２の光の色分離合成を行う色分離合成部と、
前記色分離合成部から出射した前記第１の光の偏光方向を変換する第２の特定波長域偏光変換素子と、
前記第３の光の偏光方向を変換する偏光変換素子と、
前記偏光変換素子を透過した第３の光を第３の反射型液晶表示素子に入射させる第２の反射部と、
前記第１、第２及び第３の光を色合成する色合成部とを有し、
前記第３の光は、前記色合成部を透過して、前記第３の反射型液晶表示素子に入射することを特徴とする映像表示装置。
【手続補正３】
【補正対象書類名】明細書
【補正対象項目名】００１１
【補正方法】変更
【補正の内容】
【００１１】
【課題を解決するための手段】
本発明の一面は、光源ユニットの出射光から映像信号に応じた光学像を形成する複数個の反射型液晶表示素子と、前記複数個の反射型液晶表示素子に光を照射し、前記反射型液晶表示素子で反射した光を合成して出射する照明光学系とを有する映像表示装置であって、前記光源ユニットからの光を第１及び第２の光に分離する色分離部と、前記第１の光を反射する第１の反射部と、前記第１の光の光路上に配置され、且つ前記第１の反射部で反射された前記第１の光の色分離合成を行う色分離合成部と、前記複数個の反射型液晶表示素子からの光を色合成する色合成部と、前記第２の光を反射する第２の反射部とを有し、前記第２の光は、前記色合成部を透過して、前記第２の反射部で反射されて前記複数個の反射型液晶表示素子の１個に入射するように構成する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】